(57)【要約】【課題】  虫様筋２２の筋作用を誘導することで手の握力の増強及び手の微動作を促進させるグローブを提供する。【解決手段】  グローブ本体２と、該グローブより収縮力が強い生地であって、該グローブ本体２の第２指乃至第５指の手甲部側中央から夫々各指のＰＩＰ関節１７に架けて各指の左右両側面に設けられ、手甲部側中央部とＰＩＰ関節１７の掌部側で接続される生地３ａ乃至３ｄと、該生地３ａ乃至３ｄのＭＰ関節１６部に夫々弾性体４ａ乃至４ｄが該グローブ本体２及び該生地３ａ乃至３ｄの間に凸形状に形成される。【選択図】図１
2008149466.tif 000002
【特許請求の範囲】
【請求項１】
グローブ本体と、該グローブ本体の素材よりも収縮力の強い生地であって、該グローブ本体の第２指乃至第５指の手甲部側中央部からＰＩＰ関節部に架けて第２指乃至第５指の左右両側面に設けられ、且つ手甲部側中央部及びＰＩＰ関節の掌部側で接続される生地と、第２指乃至第５指の該生地のＭＰ関節部に夫々弾性体が設置されるグローブであって、装着することで手の虫様筋及び骨間筋の筋作用を促進することを特徴とするグローブ。
【請求項２】
上記弾性体が、上記グローブ本体及び上記生地の間に凸形状に形成されていることを特徴とする請求項１に記載のグローブ。
【請求項３】
上記弾性体が、シリコン系、ウレタン系及びゴム系等の弾性素材であることを特徴とする請求項１又は請求項２にそれぞれ記載のグローブ。
【発明の詳細な説明】
【技術分野】
【０００１】
本発明は、虫様筋の作用を誘導することで手の握力の増強及び手の微動作を促進させるグローブに関する。
【背景技術】
【０００２】
ゴルフや野球、自動車競技等のツールを使用する競技では多くの選手がグローブを使用している。これは、ツールとの摩擦等から皮膚を保護するためやツールが手から離脱することを防止するためである。また、従来、手との一体感を重視したグローブや握力向上を目的としたグローブが提供されている。【０００３】
例えば、手甲部の第２中手骨頭部及び第３中手骨頭部を囲む領域に設けられた切欠部に伸縮性に富む生地からなる伸縮片を縫合することにより、各指が打球具のグリップをしっかり握ることができるとともに、打球具の微妙なコントロールをも可能とする運動用手袋が提供されている（例えば、特許文献１）。【０００４】
また、手甲部に取り付けられた小指部、薬指部及び中指部にそれぞれ接続される弾性素材と、手甲部に固定され、該固定位置を変更可能な固定部材を備えることにより、対象物を把持したときに小指、薬指及び中指に付与される締付力を個別に調節することができるスポーツ用手袋が提供されている（例えば、特許文献２）。【０００５】
また、手袋本体の拇指球付近に相当する甲側面部と掌側面部等に関節制御体を固定することにより、該手袋本体と該関節制御体との弾性の性質を利用して手指関節を制御し、上肢運動を誘導して運動を促進させる運動促進手袋が提供されている（例えば、特許文献３）。
【特許文献１】特開平１１−１７８９７３号「運動用手袋」
【特許文献２】特開２００３−３３４２７２号「スポーツ用手袋」
【特許文献３】特開２００６−８３４８０号「運動を促進させる手袋の製造方法及び、運動促進手袋」
【発明の開示】
【発明が解決しようとする課題】
【０００６】
ここで、簡単に手の機能について説明する（図５参照。）。手の骨は手首側から手根骨１１、中手骨１２、基節骨１３、中節骨１４、末節骨の順に構成され、各骨間においては中手骨１２側からＭＰ関節１６、ＰＩＰ関節１７、ＤＩＰ関節１８の順に関節運動を担っている。ゴルフクラブや野球のバット等のツールを握る際、多くの人はＭＰ関節１６よりも先に器用な指先のＤＩＰ関節１８又はＰＩＰ関節１７から屈曲させている。【０００７】
しかしながら、これは効率の良い機能的な手の使い方ではない。なぜなら、ＭＰ関節１６から初動屈曲させ、手根中手関節の方向へ握り込むことによって、握力の強弱を左右する指屈筋１９、橈側手根屈筋２０及び長掌筋２１の筋活動が促進され強い握力が最大限に発揮されるからである。【０００８】
ＭＰ関節１６を初動屈曲させるためには、ＭＰ関節１６の屈曲という虫様筋２２の筋作用が重要となる。虫様筋２２とは深指屈筋腱から起始し指伸筋腱膜に停止している掌の筋肉であって、上記ＭＰ関節１６の屈曲機能以外にもＤＩＰ関節１８又はＰＩＰ関節１７の伸展を司っている。また、虫様筋２２には固有受容器が多く存在し、指の筋収縮の緊張状態或いは握ったゴルフクラブ等の抵抗具合等を中枢神経に伝達する自動制御装置としての機能も有していることから、掌の細かい動作又は把持の強弱の微調整等が可能となる。【０００９】
すなわち、ゴルフクラブ或いは野球のバット等のツールを握る際に最大限の握力を発揮させ、又はゴルフクラブ或いは野球のバット等のツールのコントロールを微調整するといった手の機能を最大限に発揮させるためには、虫様筋２２の筋作用を効果的に発揮させることが肝要となる。【００１０】
しかしながら、特許文献１に記載の技術では、手甲部に設けられた切欠部に伸縮片を縫合することにより指の屈曲性を向上させてはいるが、伸縮性に富んだ伸縮片を縫合するのみでは、虫様筋２２の筋作用を効果的に発揮させるには至っていない。【００１１】
また、特許文献２に記載の技術でも、小指部、薬指部及び中指部にそれぞれ接続される手甲部に取り付けられた弾性素材により、手袋の締付力及びフィット感を向上させてはいるが、それは手袋の個別調整の機能によるものであり、虫様筋２２の筋作用を効果的に発揮させていない。【００１２】
また、特許文献３の記載の技術でも、関節制御体によって抵抗が働き、各指がしっかりとクラブ等を把持することが可能となる旨の記載があるが、あくまでも該技術に係る発明による強制力によって可能となっているのみであり、虫様筋の筋作用２２を効果的に発揮させているとは言えない。
【課題を解決するための手段】
【００１３】
上記課題を解決するために、本発明は次のように構成した。すなわち、本発明に係るグローブは、グローブ本体と、該グローブ本体の人差指（以下、第２指という。）、中指（以下、第３指という。）、薬指（以下、第４指という。）及び小指（以下、第５指という。）の手甲部側からＰＩＰ関節１７に架けて各指の左右両側面に設けられ、手甲部側中央部とＰＩＰ関節１７の掌部側で接続される生地と、該生地のＭＰ関節１７部に弾性体が該グローブ本体と該生地の間に凸形状に形成されることを特徴とする。
【発明の効果】
【００１４】
本発明に係るグローブよれば、ＭＰ関節１７の初動屈曲を誘導することにより、虫様筋２２の筋作用を促し、手の握力を最大限に発揮させることが可能となり、また繊細な手の動きが可能となる。
【図面の簡単な説明】
【００１５】
【図１】本発明に係るグローブの手甲部側の平面図である。
【図２】上記実施例に記載のグローブの親指側から見た図である。
【図３】上記実施例に記載のグローブの掌部側の平面図である。
【図４】上記実施例に記載の第２指の各骨又は各関節及び張力の関係を示す図である。
【図５】上肢の骨及び筋肉を手甲部側から示した参考図である。
【符号の説明】
【００１６】
１            グローブ
２            グローブ本体
３ａ乃至３ｄ  生地
４ａ乃至４ｄ  弾性体
５            フラップ
６            厚生地
７            厚生地
Ａ            矢印
Ｂ            矢印
１１            手根骨
１２            中手骨
１３            基節骨
１４            中節骨
１５            末節骨
１６            ＭＰ関節
１７            ＰＩＰ関節
１８            ＤＩＰ関節
１９            指屈筋
２０            橈側手根屈筋
２１            長掌筋
２２            虫様筋
２３            骨間筋
【発明を実施するための最良の形態】
【００１７】
以下、図面に基づいて本発明を具体的に説明する。図１は、本発明に係るグローブ１の手甲部側の平面図である。本発明に係るグローブ１は、グローブ本体２と、該グローブ本体２の第２指乃至第５指に設けられた生地３ａ、３ｂ、３ｃ、３ｄ及び該生地３ａ乃至３ｄとＭＰ関節１６との接点であって、グローブ本体２及び生地３ａ乃至３ｄの間に夫々凸形状に形成された弾性体４ａ、４ｂ、４ｃ、４ｄから構成される。【００１８】
グローブ１は、ゴルフ、野球又は自動車競技等のツールを用いる競技で使用され、該グローブ１のグローブ本体２は、人工皮革等で構成される。他にも、牛革、豚革、羊革、鹿革等の天然皮革、又はナイロン等の不織布にポリウレタンやポリ塩化ビニル等の合成樹脂膜を被覆した人工皮革等のように比較的薄手で、手指への添いが良く防滑性に富んだ素材であれば何でもよい。【００１９】
生地３ａ乃至３ｄは、グローブ本体２の上記構成素材よりも収縮力が強い生地素材で構成される。例えば、上記グローブ本体２が人工皮革で構成された場合には、該グローブ本体２よりも収縮力が強いパワーネット或いはツーウェイ素材のような弾性繊維等により生地３ａ乃至３ｄを構成する。生地３ａは、グローブ本体２の第２指のＰＩＰ関節１７から手首方向へと第２指の左右両側面を沿うように形成され、ＭＰ関節１６の左右両端を経由した後、手甲部中央付近で左右の生地３ａがＶ字型になるように接続される。また、上記第２指に形成された生地３ａと同様に、第３指乃至第５指には夫々生地３ｂ乃至３ｄが構成される。【００２０】
弾性体４ａ乃至４ｄは、シリコン系、ウレタン系及びゴム系等の弾性素材で構成される。弾性体４ａは、グローブ本体２及び第２指のＭＰ関節１６の左右両端に存在する上記生地３ａの間に凸形状となるように形成される。また、該弾性体４ａと同様に弾性体４ｂ乃至４ｄにおいても、グローブ本体２及び夫々第３指乃至第５指のＭＰ関節１６の左右両端に存在する上記生地３ｂ乃至４ｄの間に凸形状となるように形成される。【００２１】
フラップ５の裏面には雄型或いは雌型の面ファスナーが設けられており、グローブ本体２の該フラップ５との重合部表面に設けられ、該フラップ５の面ファスナーに対応する雌型或いは雄型の面ファスナーに係止する。【００２２】
図２は、本発明に係るグローブ１を親指側から見た図である。上述の通り手甲部中央部からＰＩＰ関節１７に架けて第３指の左右両側面に構成される生地３ｂは、グローブ本体２及び生地３ｂの間に設けられた弾性体４ｂを支点としてＭＰ関節１６の手甲部側とＰＩＰ関節１７の掌部側を斜めに結ぶように形成される。また、生地３ａ、生地３ｃ及び生地３ｄにおいても同様に、夫々第２指、第４指及び第５指のＭＰ関節１６の手甲部側の生地３ａ、３ｃ及び３ｄとグローブ本体２間に設けられた弾性体４ａ、弾性体４ｃ及び弾性体４ｄを支点としてＭＰ関節１６の手甲部側とＰＩＰ関節１７の掌部側を斜めに結ぶように各指の左右両側面に形成される。【００２３】
このようにグローブ本体２及び生地３ａ乃至３ｄの間に凸形状に形成された弾性体４ａ乃至４ｄが支点の役割を果たすことにより、第２指乃至第５指のＭＰ関節１７の初動屈曲が誘導される。【００２４】
図３は、本発明に係るグローブ１の掌部側の平面図である。第２指の左右両側面に構成され、手甲部中央からＭＰ関節１６の手甲部側に設けられた上記弾性体４ａを支点としてＰＩＰ関節１７の掌部側へと結ばれた左右の生地３ａは、第２指のＰＩＰ関節１７の掌部側で接続される。また、生地３ｂ乃至３ｄにおいても同様に、夫々第３指乃至第５指のＰＩＰ関節１７の掌部側で接続される。【００２５】
すなわち、グローブ本体２よりも収縮力の強い生地３ａ乃至３ｄを第２指乃至第５指のＰＩＰ関節１７に掌部側から包み込むように設けることにより、各指のＰＩＰ関節１７からの屈曲をある程度抑制し、ＭＰ関節１６の初動屈曲を誘導することが可能となる。そして、ＭＰ関節１６の初動屈曲により虫様筋２２の筋作用を促した後、ＰＩＰ関節１７等を屈曲させグリップ等をしっかりと握ることにより、握力を最大限に発揮することができる。【００２６】
厚生地６及び７は、グローブ本体２の夫々掌部の親指根元部と第５指根元部に設けられ、使用による破損から保護するためのものである。【００２７】
以上のような構成とすることにより、本発明に係るグローブ１を装着した際には、グローブ本体２よりも収縮力が強い生地３ａ乃至生地３ｄ及び第２指乃至第５指のＭＰ関節１６部に設けられた弾性体４ａ乃至４ｄにより、第２指乃至第５指のＰＩＰ関節１７からの屈曲をある程度抑制し、第２指乃至第５指のＭＰ関節１６の初動屈曲が誘導される。そして、ＭＰ関節１６の屈曲を司る虫様筋２２の筋作用を促すことにより、握力の強さを左右する上肢の指屈筋１９や橈側手根屈筋２０、長掌筋２１の筋活動を誘引することができ、ゴルフクラブ、野球のバット或いは自転車のハンドルのようなグリップ等を握るための握力を最大限に増強することが可能となる。【００２８】
また、上述のように虫様筋２２には、指の筋収縮の緊張状態や、握ったものの抵抗具合などを中枢神経にフィードバックする自動制御装置としての機能をも備えていることから、グローブ１を装着し虫様筋２２の筋作用を促すことによって、指の細かい動きや握る強さの調整等、例えば、ゴルフクラブ或いは野球のバットのコントロール等のような微細な手の動作が可能となる。【００２９】
また、本発明に係るグローブ１を装着することにより、虫様筋２２の筋作用を促すとともに、骨間筋２３の筋作用をも促進することができる。骨間筋２３とは、虫様筋２２と掌部側で接する上肢の筋肉であり、第２指、第４指及び第５指のＭＰ関節１６の内転及び屈曲並びにＰＩＰ関節１７及びＤＩＰ関節１８の伸展を司っている。【００３０】
すなわち、本発明に係るグローブ１を装着すれば、虫様筋２２のみならず骨間筋２３の筋作用をも促進されることから、最大限に握力を増強すること、及び手の微細な動作をすることに対する虫様筋２２及び骨間筋２３の相乗効果を発揮することが可能となる。【００３１】
図４は、第２指の各骨又は各関節及び張力の関係を表す図である。破線で示した矢印Ａは、グローブ本体２のＰＩＰ関節１７部に包み込むように設けられた生地３ａにより、ＰＩＰ関節１７からの屈曲をある程度抑制するよう手甲部側に張力が作用している方向を示している。また、実線で示した矢印Ｂは、グローブ本体２のＭＰ関節１６部に設けられ、グローブ本体２及び生地３ａの間に固定された弾性体４ａを支点として、ＭＰ関節１６が初動屈曲するよう掌部側に張力が作用している方向を示している。【００３２】
図５は、上肢の骨及び筋肉を示した参考図である。本発明に係るグローブ１を装着することにより、ＭＰ関節１６が初動屈曲という虫様筋２２の筋作用が促されることにより、上肢の橈骨及び尺骨にある指屈筋１９、橈側手根屈筋２０及び長掌筋２１の筋活動が促進されて手の握力を最大限に発揮させることが可能となる。【００３３】
上記実施例では、本発明に係るグローブ１は、野球或いはゴルフ等で使用されたが、例えば、グローブ本体２の各指先部が開口しており、装着した際に指先が露出するような構成のフィッシング用のグローブとして使用してもよい。これにより、釣竿をしっかりと握ることが可能となる。【００３４】
また、上記実施例では、本発明に係るグローブ１の生地３ａ乃至生地３ｄは、第２指乃至第５指のＰＩＰ関節１７部の掌部側で接続させていたが、それらを接続させずにＰＩＰ関節１７の左右両側面を生地３ａ乃至３ｄの端部とした場合であっても、ＰＩＰ関節１７の左右両側面に設けられた生地３ａ乃至生地３ｄにより、第２指乃至第５指のＰＩＰ関節１７の屈曲をある程度抑制することができ、上記実施例と同様の効果を発揮することが可能である。【００３５】
また、上記実施例では、本発明に係るグローブ１の生地３ａ乃至生地３ｄは、夫々第２指乃至第５指の手甲部側中央でＶ字型になるよう接続させていたが、それらを接続させずとも、生地３ａ及び生地３ｄ及び生地３ａ乃至生地３ｄのＭＰ関節１６部手甲部側に設けられた弾性体４ａ乃至４ｄにより、第２指乃至第５指のＭＰ関節１６の初動屈曲を誘導させることは可能であり、上記実施例と同様の効果を発揮することができる。【００３６】
また、上記実施例では、本発明に係るグローブ１の生地３ａ乃至生地３ｄは、夫々均一の収縮力で構成されたが、弾性体４ａ乃至４ｄよりも指先側の生地３ａ乃至生地３ｄの収縮力を強く、且つ弾性体４ａ乃至４ｄよりも手首側の生地３ａ乃至生地３ｄの収縮力を弱くするような構成としてもよい。なお、手首側の生地３ａ乃至生地３ｄの収縮力がグローブ本体２よりも強いことに関しては、上記実施例との差異はない。【００３７】
また、上記実施例では、本発明に係るグローブ１のグローブ本体２を人工皮革等によって構成したが、例えばメッシュ生地等のような比較的薄手の生地で構成し、さらにそのような薄手のグローブ１の強度を向上させるために、グローブ１の手甲部側及び掌部側の上から重ねるように通常の、例えば人工皮革等で構成された手袋の生地を固着させることで二重構造に構成してもよい。
【産業上の利用可能性】
【００３８】
上記実施例では、本発明に係るグローブ１は、野球、ゴルフ、自転車競技或いはフィッシング等で使用できる旨説明したが、その他例えば、クレー射撃の選手等、銃器を扱う者が本発明に係るグローブ１を装着した場合には、手指の繊細な動作が可能となり、射撃の精度を向上させることができる。また、大工作業或いは引越し作業のような握力を使う場面、又は繊細な手の動きが要求される場面において、作業用手袋としての使用も可能である。
【図１】
2008149466.tif 000003
【図２】
2008149466.tif 000004
【図３】
2008149466.tif 000005
【図４】
2008149466.tif 000006
【図５】
2008149466.tif 000007
【国際調査報告】
2008149466.tif 000008
2008149466.tif 000009
2008149466.tif 000010
2008149466.tif 000011
2008149466.tif 000012
2008149466.tif 000013